(57)【要約】  少なくとも７０重量％の石鹸、０．０１〜１５重量％の水を含み、７〜９．５のｐＨを有する、（微粒子形態の）固形石鹸組成物。前記固形石鹸組成物の生成のための方法であって、（ａ）水酸化物溶液及びトリグリセリドを接触させて、鹸化混合物を形成するステップと、（ｂ）（ａ）を、混合物が３００〜５００ｃＰの粘度を有するまで、５０〜７０℃で撹拌するステップと、（ｃ）（ｂ）を、１３０〜１７０℃で硬化して、固形石鹸組成物を形成するステップとを含む、方法。人体を洗浄するための固形石鹸製品の生成のための方法であって、（ａ）石鹸及びグリセロールを含む固形石鹸基剤を用意するステップと、（ｂ）（ａ）を加熱して、液体形態の石鹸基剤を提供し、任意で石鹸基剤をグリセロールと接触させて、石鹸液混合物を形成するステップと、（ｃ）（ｂ）を鋳型に注ぎ入れ、固めて固形石鹸製品を形成させるステップとを含み、固形石鹸製品が、０．０１〜３５重量％のグリセロールを含有し、固形石鹸製品中に存在するグリセロールの８０重量％以下が、石鹸基剤に添加される、方法。【特許請求の範囲】
【請求項１】
固形石鹸組成物の少なくとも７０重量％の量の石鹸を含む固形石鹸組成物であって、
（ｉ）７〜９．５のｐＨを有し、
（ii）前記固形石鹸組成物の０．０１〜１５重量％の量の水を含有する、
前記固形石鹸組成物。
【請求項２】
７．１〜９．３のｐＨを有する、請求項１に記載の固形石鹸組成物。
【請求項３】
石鹸組成物が、固形石鹸組成物の０．１〜１０重量％の量の水を含有する、請求項１又は２に記載の固形石鹸組成物。
【請求項４】
石鹸組成物が、固形石鹸組成物の０．２〜７重量％の量の水を含有する、請求項１〜３のいずれかに記載の固形石鹸組成物。
【請求項５】
固形石鹸組成物の少なくとも８０重量％の量の石鹸を含有する、請求項１〜４のいずれかに記載の固形石鹸組成物。
【請求項６】
固形石鹸組成物のおよそ８５重量％の量の石鹸を含有する、請求項１〜５のいずれかに記載の固形石鹸組成物。
【請求項７】
石鹸からなる、又はそれから本質的になる、請求項１〜５のいずれかに記載の固形石鹸組成物。
【請求項８】
微粒子形態であり、固形石鹸組成物の重量の少なくとも９０％が、１〜８０ｍｍの粒径を有する、請求項１〜７のいずれかに記載の固形石鹸組成物。
【請求項９】
グリセロールをさらに含む、請求項１〜８のいずれかに記載の固形石鹸組成物。
【請求項１０】
固形石鹸組成物の０．０１〜１５重量％の量のグリセロールをさらに含む、請求項１〜９のいずれかに記載の固形石鹸組成物。
【請求項１１】
固形石鹸組成物の５〜１５重量％の量のグリセロールをさらに含む、請求項１〜１０のいずれかに記載の固形石鹸組成物。
【請求項１２】
石鹸が、鹸化した植物性油又はバターである、請求項１〜１１のいずれかに記載の固形石鹸組成物。
【請求項１３】
人体を洗浄するために適切な固形石鹸製品を調製するための石鹸基剤である、請求項１〜１２のいずれかに記載の固形石鹸組成物。
【請求項１４】
固形石鹸組成物の生成のための方法であって、
（ａ）水酸化物溶液及びトリグリセリドを接触させて、鹸化混合物を形成するステップと、
（ｂ）前記鹸化混合物を、前記混合物が３００〜５００ｃＰの粘度を有するまで、５０〜７０℃の温度で撹拌するステップと、
（ｃ）ステップ（ｂ）の混合物を、１３０〜１７０℃の温度で硬化して、前記固形石鹸組成物を形成するステップと
を含む、前記方法。
【請求項１５】
ステップ（ｃ）の固形石鹸組成物が、
（ｄ）その後、処置されて微粒子形態の固形石鹸組成物を提供し、前記固形石鹸組成物の重量の少なくとも９０％が、１〜８０ｍｍの粒径を有する、
請求項１４に記載の方法。
【請求項１６】
ステップ（ｄ）の処置が、粉砕、磨砕又はそれらの組合せである、請求項１５に記載の方法。
【請求項１７】
固形石鹸組成物が、請求項１〜１３のいずれかに記載の固形石鹸組成物である、請求項１４〜１６のいずれかに記載の方法。
【請求項１８】
人体をクレンジングするために適切な固形石鹸製品の生成のための方法であって、
（ａ）石鹸及びグリセロールを含む固形石鹸基剤を用意するステップと、
（ｂ）前記固形石鹸基剤を加熱して、液体形態の石鹸基剤を提供し、任意で前記石鹸基剤をグリセロールと接触させて、石鹸液混合物を形成するステップと、
（ｃ）前記石鹸液混合物を鋳型に注ぎ入れ、固めて前記固形石鹸製品を形成させるステップと
を含み、
前記固形石鹸製品が、前記固形石鹸製品の０．０１〜３５重量％の量のグリセロールを含有し、
前記固形石鹸製品中に存在する前記グリセロールの８０重量％以下が、前記石鹸基剤に添加される、
前記方法。
【請求項１９】
固形石鹸基剤が、請求項１〜１３のいずれかに記載の固形石鹸組成物である、請求項１８に記載の方法。
【請求項２０】
実施例に関連して本明細書で実質的に定義されている通りの固形石鹸組成物。
【請求項２１】
実施例に関連して本明細書で実質的に定義されている通りの固形石鹸組成物を生成するための方法。
【請求項２２】
実施例に関連して本明細書で実質的に定義されている通りの人体を洗浄するために適切な固形石鹸製品を生成するための方法。
【請求項２３】
実施例に関連して本明細書で実質的に定義されている通りの人体を洗浄するために適切な固形石鹸製品。
【発明の詳細な説明】
【技術分野】
【０００１】
本発明は、固形石鹸組成物、前記固形石鹸組成物を生成するための方法、前記固形石鹸組成物から固形石鹸製品を調製するための方法、及び本明細書における方法によって調製される製品に関する。
【背景技術】
【０００２】
本発明は、特に、人体と接触して使用するための製品に関する。
【０００３】
数千年間にわたり、石鹸は、皮膚及び衣類を洗浄する目的のために使用されてきた。洗浄剤としての石鹸の記録されている最古の使用は、およそ紀元前２８００年の古代バビロンにおけるものであり、水、桂皮油及び溶解した灰から形成された石鹸が、衣類の洗濯、及び機織り用の羊毛の調製に使用されていた。エジプト人もまた、個人衛生、医薬応用及び衣服の有効な洗濯を目的として、石鹸誘導体の使用を実証していた。実際に、エジプト人が、植物性脂肪を使用して石鹸レシピを調製していた一方で、ギリシャ人は、灰、水、サイプレス油及びゴマ油を利用していた。しかしながら、西暦７７年のローマの科学者Pliny the Elder's Historia Naturalisの出版物まで、サポという語（石鹸を表すラテン語）は使用されていなかった。同書は獣脂及び灰からのサポの製造並びにヘアポマードとしてのその応用について論じている。しかし、身体から不純物を洗い落とすための石鹸の使用について記述したのは、西暦３００年、著名なローマ人医師Galenであった。
【０００４】
洗浄及び個人衛生剤としての石鹸の魅力は増したが、石鹸が工業先進国において普遍的に受け入れられる洗浄製品になったのは、１５及び１６世紀に、石鹸が準工業化され、個人衛生において石鹸が果たす役割が理解されてからである。１６世紀には、より上質の石鹸に対する需要があるようになり、業界は動物性脂肪からオリーブ油等のより上質の植物性油へ移行した。石鹸の使用は、潜在的に有害な微生物の個体数を低減させることにおける衛生の役割についてのより良好な理解により、工業先進国において普遍的なものとなった。工業的に製造された棒状石鹸は、ヨーロッパ及びアメリカ合衆国における広告キャンペーンが、清潔さと健康との間の関係の大衆認知を促進したことから、１８世紀末に初めて利用可能となった。
【０００５】
石鹸の化学的性質は比較的単純であり、石鹸は、トリグリセリドの脂肪酸とアルカリとの間の中和反応により、グリセロールとともに生成されるイオン化合物である。脂肪酸源は、一般的には、植物性油及びバターに由来し、石鹸において使用されるバター又は油のブレンドが、石鹸の特性を決定することになる。例えば、ココナツ油又はパーム油等の高ラウリン酸（飽和脂肪酸）含有量の油は、微量レベルしか含有しないオリーブ油又はココアバターと比較して、より多い量の石鹸の泡を生成することになる。
【０００６】
石鹸製造において使用されるアルカリは、一般的には、水酸化ナトリウム（又は液体石鹸では水酸化カリウム）である。水酸化ナトリウムを、蒸留又は脱イオン水で３０〜５０％溶液に希釈する。蒸留／脱イオン水は、水中に存在し得る重金属が過剰量である場合、鹸化反応を中断させる可能性があるため、使用される。この溶液の生成は、発熱反応である。次いで、水酸化ナトリウム溶液を穏やかにかき混ぜ、３０℃〜５０℃の間に冷却する。２つの相が同程度の温度になったら、水酸化ナトリウム溶液を脂肪酸と混合する。鹸化反応の大多数は、５〜１０分以内に完了する。しかしながら、化粧用の目的のために使用することが許容されるｐＨに石鹸が到達するために石鹸を硬化するには、最大２か月かかることがある。当業者であれば分かるであろう通り、石鹸は、一般的には、鹸化プロセスが完全に完了することを確実にするため、及び石鹸から十分な水を蒸発させて石鹸を硬くするために、硬化される。したがって、石鹸の生成における硬化ステップ中、石鹸のｐＨは、一般的には、鹸化反応が完了に到達すると低減される。
【０００７】
石鹸は有効な洗浄剤であるが、石鹸は、繊細及び敏感な皮膚に、紅斑、落屑及び亀裂形成等の乾燥及び刺激を引き起こし得ることが広く認められている。これは、皮膚の細菌叢、表皮上層（角質層）における酵素活性、並びに皮膚及び毛髪において見られる自然発生の油に対して悪影響を及ぼす、石鹸のアルカリ性及びその洗浄作用によるものである。
【先行技術文献】
【非特許文献】
【０００８】
【非特許文献１】Pliny the Elder's Historia Naturalis
【発明の概要】
【発明が解決しようとする課題】
【０００９】
本発明は、繊細及び敏感な皮膚タイプにおける使用に適切な固形石鹸組成物、並びに急速硬化相を有する固形石鹸組成物を生成するための方法を提供することを求める。
【課題を解決するための手段】
【００１０】
第１の態様において、固形石鹸組成物の少なくとも７０重量％の量の石鹸を含む固形石鹸組成物であって、
（ｉ）７〜９．５のｐＨを有し、
（ii）固形石鹸組成物の０．０１〜１５重量％の量の水を含有する、
固形石鹸組成物が提供される。
【００１１】
第２の態様において、石鹸組成物の生成のための方法であって、
（ａ）水酸化物溶液及びトリグリセリドを接触させて、鹸化混合物を形成するステップと、
（ｂ）鹸化混合物を、混合物が３００〜５００ｃＰの粘度を有するまで、５０〜７０℃の温度で撹拌するステップと、
（ｃ）ステップ（ｂ）の混合物を、１３０〜１７０℃の温度で硬化して、石鹸組成物を形成するステップと
を含む、方法が提供される。
【００１２】
第３の態様において、人体を洗浄するために適切な固形石鹸製品の生成のための方法であって、
（ａ）石鹸及びグリセロールを含む固形石鹸基剤を用意するステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法が提供される。
【００１３】
第４の態様において、
（ａ）石鹸及びグリセロールを含む固形石鹸基剤を用意するステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法によって取得される又は取得可能な人体を洗浄するために適切な固形石鹸製品が提供される。
【００１４】
皮膚は、人体とその外部環境との間に保護バリアを形成する、複雑で動的な生理学的平衡を含む。水和レベル、温度及びｐＨ等の主要な物理化学的特色は、皮膚の生理学的平衡に影響を及ぼす外部要因に応答して、維持され調整される。
【００１５】
皮膚の天然ｐＨは、角質層脂質、角質層水和レベル、皮膚のバリア機能及び皮膚の細菌叢等の種々の要因に直接的に又は間接的に影響を与える、その生理学全体において重要な役割を果たす。皮膚の天然ｐＨは、概して、酸外套と称される酸性保護バリアにより、５．４〜５．９の間の範囲であると認められている。酸外套は、最終的に皮脂を産出する、乳酸、ウロカニン酸及び脂肪酸誘導体等の皮脂腺及びエクリン汗腺からの分泌物を含む、ハイドロリピッド層である。
【００１６】
従来の石鹸を使用する皮膚の洗浄は、皮膚の生理学的平衡に影響を及ぼし、潜在的に皮膚刺激を引き起こす、皮膚のｐＨにおける一過性増大をもたらすことが公知である。ｐＨが一般的には１０〜１１の範囲である従来の石鹸を使用することによって、皮膚のｐＨは、数時間にわたって３単位だけ増大し得、それにより、皮膚の保護バリア機能に悪影響を及ぼす。
【００１７】
本発明者らは、７〜９．５のｐＨを有する石鹸組成物を使用することによって、従来の石鹸組成物と比較して、繊細又は敏感な皮膚タイプの刺激も乾燥ももたらさない、物質的により穏やかな洗浄作用を実現し得ることを見出した。
【００１８】
参照を容易にするために、本発明のこれら及びさらなる態様を、ここで、適切なセクション見出し下で論じる。しかしながら、各セクション下での教示は、各特定のセクションに必ずしも限定されるとは限らない。
【発明を実施するための形態】
【００１９】
固形石鹸組成物
本明細書において論じられている通り、本発明の一態様において、固形石鹸組成物の少なくとも７０重量％の量の石鹸を含む固形石鹸組成物であって、
（ｉ）７〜９．５のｐＨを有し、
（ii）固形石鹸組成物の０．０１〜１５重量％の量の水を含有する、
固形石鹸組成物が提供される。
【００２０】
本明細書において論じられている通り、石鹸組成物は、固形石鹸組成物である。本発明の固体製品は、外部手段、例えば外装等によって支持されていない場合に、それらの物理的形状を実質的に持続させることができる組成物である。故に、それらは、室温で、固体、固体様、固体形態又は固体様形態であるとみなされる。誤解を避けるために、固体製品は、最大３０℃で実質的に固体のままでなくてはならない。
【００２１】
固体様によって、一部の材料、例えばガラス等の非晶質材料は、日常的に固体であるとみなされるが、極めて長い期間を経て、形状が変化し得ることが理解されている。しかしながら、それらは、それらが満たす目的のためには固体であることから、固体様であるとみなされる。本発明の固体組成物の固体形態は、組成物の形状を維持するために外装が必要とされないことを意味する。
【００２２】
石鹸
当業者には理解される通り、石鹸は、強アルカリ溶液を使用するトリグリセリドの鹸化によって生成される脂肪酸の塩である。一般的には、本発明の石鹸は、１又は２以上の脂肪酸のナトリウム塩である。
【００２３】
本発明によれば、石鹸は、固形石鹸組成物の少なくとも７０重量％の量で存在する。
【００２４】
１つの好ましい態様において、石鹸は、固形石鹸組成物の少なくとも７５重量％の量で、例えば固形石鹸組成物の少なくとも８０重量％の量で、例えば固形石鹸組成物の少なくとも８２．５重量％の量で、例えば固形石鹸組成物の少なくとも８５重量％の量で存在する。
【００２５】
一部の実施形態において、石鹸は、固形石鹸組成物の７０〜１００重量％、例えば固形石鹸組成物の７５〜９５重量％の量で、例えば固形石鹸組成物の８０〜９０重量％の量で、例えば固形石鹸組成物のおよそ８５重量％の量で存在する。
【００２６】
１つの好ましい態様において、固形石鹸組成物は、石鹸、水及びグリセロールから本質的になる。本明細書において使用される場合、「から本質的になる」は、他の指定されていない成分も組成物中に存在してもよく、但し、組成物の本質的な特徴はそれらの存在によって物質的に影響されないことを意味する。一部の実施形態において、固形石鹸組成物は、石鹸、水及びグリセロールからなる。
【００２７】
本明細書において記述されている石鹸組成物中に存在する石鹸は、任意の適切な供給源由来であってよい。一態様において、石鹸は、鹸化した植物性油、鹸化した植物性バター又はそれらの混合物である。一態様において、石鹸は、鹸化した植物性油である。一態様において、石鹸は、鹸化した植物性バターである。
【００２８】
一部の実施形態において、石鹸は、飽和及び不飽和脂肪酸の混合物を含む、脂肪酸の塩を含む。本明細書において使用される場合、用語「飽和脂肪酸」は、各脂肪酸鎖が単一の炭素−炭素結合からなるような、各脂肪酸鎖が飽和であるトリグリセリド化合物を意味する。本明細書において使用される場合、用語「不飽和脂肪酸」は、少なくとも１つの脂肪酸鎖が少なくとも１つの炭素−炭素二重又は三重結合を含むような、脂肪酸鎖の少なくとも１つが不飽和であるトリグリセリド化合物を意味する。
【００２９】
一部の実施形態において、固形石鹸組成物は、固形石鹸組成物の１〜８０重量％の量の飽和脂肪酸塩を含む。一部の態様において、固形石鹸組成物は、固形石鹸組成物の１〜７５重量％、例えば固形石鹸組成物の１〜７２．５重量％、例えば固形石鹸組成物の１．２５〜７０重量％、例えば固形石鹸組成物の１．２５〜６７．５重量％の量の飽和脂肪酸塩を含む。
【００３０】
一部の実施形態において、固形石鹸組成物は、固形石鹸組成物中の石鹸の総量の１〜８０重量％、例えば固形石鹸組成物中の石鹸の総量の１．５〜７５重量％の量の飽和脂肪酸塩を含む。
【００３１】
一部の実施形態において、固形石鹸組成物は、固形石鹸組成物の１５重量％を超える量の不飽和脂肪酸塩を含む。一部の態様において、固形石鹸組成物は、固形石鹸組成物の１５〜９９重量％、例えば固形石鹸組成物の１７．５〜９８．５重量％、例えば固形石鹸組成物の２０〜９８重量％、例えば固形石鹸組成物の２０〜９５重量％、例えば固形石鹸組成物の２０〜９０重量％の量の不飽和脂肪酸塩を含む。１つの好ましい態様において、固形石鹸組成物は、固形石鹸組成物の１５〜９５重量％の量の不飽和脂肪酸塩を含む。
【００３２】
一部の実施形態において、固形石鹸組成物は、固形石鹸組成物中の石鹸の総量の２０〜１００重量％、例えば固形石鹸組成物中の石鹸の総量の２２．５〜９８重量％の量の不飽和脂肪酸塩を含む。
【００３３】
一部の実施形態において、石鹸は、固形石鹸組成物中の脂肪酸の総量の０〜１０重量％の量の、例えば固形石鹸組成物中の脂肪酸の総量の０〜５重量％の量の、例えば固形石鹸組成物中の脂肪酸の総量の０〜４重量％の量の、８個の炭素原子（Ｃ８）の炭素鎖長を有する脂肪酸に由来する。
【００３４】
一部の実施形態において、石鹸は、固形石鹸組成物中の脂肪酸の総量の０〜１０重量％の量の、例えば固形石鹸組成物中の脂肪酸の総量の０〜５重量％の量の、例えば固形石鹸組成物中の脂肪酸の総量の０〜４重量％の量の、例えば固形石鹸組成物中の脂肪酸の総量の０〜３重量％の量の、１０個の炭素原子（Ｃ１０）の炭素鎖長を有する脂肪酸に由来する。
【００３５】
一部の実施形態において、石鹸は、固形石鹸組成物中の脂肪酸の総量の０〜２５重量％の量の、例えば固形石鹸組成物中の脂肪酸の総量の０〜２４重量％の量の、例えば固形石鹸組成物中の脂肪酸の総量の０〜２３重量％の量の、例えば固形石鹸組成物中の脂肪酸の総量の０〜２２重量％の量の、例えば固形石鹸組成物中の脂肪酸の総量の０〜２１．５重量％の量の、１２個の炭素原子（Ｃ１２）の炭素鎖長を有する脂肪酸に由来する。
【００３６】
一部の実施形態において、石鹸は、固形石鹸組成物中の脂肪酸の総量の０〜１０重量％の量の、例えば固形石鹸組成物中の脂肪酸の総量の０〜９重量％の量の、例えば固形石鹸組成物中の脂肪酸の総量の０〜８重量％の量の、例えば固形石鹸組成物中の脂肪酸の総量の０．０１〜８重量％の量の、例えば固形石鹸組成物中の脂肪酸の総量の０．０５〜８重量％の量の、１４個の炭素原子（Ｃ１４）の炭素鎖長を有する脂肪酸に由来する。
【００３７】
一部の実施形態において、石鹸は、固形石鹸組成物中の脂肪酸の総量の０〜３０重量％の量の、例えば固形石鹸組成物中の脂肪酸の総量の１〜２５重量％の量の、例えば固形石鹸組成物中の脂肪酸の総量の２〜２５重量％の量の、例えば固形石鹸組成物中の脂肪酸の総量の３〜２５重量％の量の、例えば固形石鹸組成物中の脂肪酸の総量の４〜２５重量％の量の、例えば固形石鹸組成物中の脂肪酸の総量の５〜２５重量％の量の、例えば、固形石鹸組成物中の脂肪酸の総量の６〜２５重量％、例えば固形石鹸組成物中の脂肪酸の総量の７〜２５重量％、例えば固形石鹸組成物中の脂肪酸の総量の８〜２５重量％、例えば固形石鹸組成物中の脂肪酸の総量の９〜２５重量％の量の、１６個の炭素原子（Ｃ１６）の炭素鎖長を有する脂肪酸に由来する。
【００３８】
一部の実施形態において、石鹸は、固形石鹸組成物中の脂肪酸の総量の１〜９９重量％の量の、例えば固形石鹸組成物中の脂肪酸の総量の５〜９５重量％の量の、例えば固形石鹸組成物中の脂肪酸の総量の１０〜９０重量％の量の、例えば固形石鹸組成物中の脂肪酸の総量の１５〜９０重量％の量の、例えば固形石鹸組成物中の脂肪酸の総量の２０〜９０重量％の量の、例えば固形石鹸組成物中の脂肪酸の総量の２５〜９０重量％の量の、例えば固形石鹸組成物中の脂肪酸の総量の３０〜９０重量％、例えば固形石鹸組成物中の脂肪酸の総量の３５〜９０重量％、例えば固形石鹸組成物中の脂肪酸の総量の４０〜９０重量％、例えば固形石鹸組成物中の脂肪酸の総量の４１〜８８重量％の量の、１８個の炭素原子（Ｃ１８）の炭素鎖長を有する脂肪酸に由来する。
【００３９】
一部の実施形態において、石鹸は、固形石鹸組成物中の脂肪酸の総量の０〜１０重量％の量の、例えば固形石鹸組成物中の脂肪酸の総量の０．１〜１０重量％の量の、例えば固形石鹸組成物中の脂肪酸の総量の０．２〜９重量％の量の、例えば固形石鹸組成物中の脂肪酸の総量の０．３〜８重量％の量の、例えば固形石鹸組成物中の脂肪酸の総量の０．４〜７重量％の量の、例えば固形石鹸組成物中の脂肪酸の総量の０．５〜６重量％の量の、例えば固形石鹸組成物中の脂肪酸の総量の０．５〜６重量％の量の、２０個の炭素原子（Ｃ２０）の炭素鎖長を有する脂肪酸に由来する。
【００４０】
一部の実施形態において、石鹸は、固形石鹸組成物中の脂肪酸の総量の０〜１０重量％の量の、例えば固形石鹸組成物中の脂肪酸の総量の０〜５重量％の量の、例えば固形石鹸組成物中の脂肪酸の総量の０〜４重量％の量の、例えば固形石鹸組成物中の脂肪酸の総量の０〜３重量％の量の、例えば固形石鹸組成物中の脂肪酸の総量の０〜２重量％の量の、例えば固形石鹸組成物中の脂肪酸の総量の０〜１重量％の量の、例えば固形石鹸組成物中の脂肪酸の総量の０．１〜１重量％の量の、２２個の炭素原子（Ｃ２２）の炭素鎖長を有する脂肪酸に由来する。
【００４１】
一部の実施形態において、石鹸は、固形石鹸組成物中の脂肪酸の総量の０〜１０重量％の量の、例えば固形石鹸組成物中の脂肪酸の総量の０〜５重量％の量の、例えば固形石鹸組成物中の脂肪酸の総量の０〜４重量％の量の、例えば固形石鹸組成物中の脂肪酸の総量の０〜３重量％の量の、例えば固形石鹸組成物中の脂肪酸の総量の０〜２重量％の量の、例えば固形石鹸組成物中の脂肪酸の総量の０．０１〜２重量％の量の、例えば固形石鹸組成物中の脂肪酸の総量の０．０５〜１．５重量％の量の、２４個の炭素原子（Ｃ２４）の炭素鎖長を有する脂肪酸に由来する。
【００４２】
一部の実施形態において、石鹸は、植物性バター及び／又は植物性油に由来する。一部の実施形態において、植物性バターは、ココアバター、イリペバター、ムルムルバター、コクムバター、アロエバター、アボカドバター、クプアスバター、マカダミアナッツバター、マンゴーバター、オリーブバター、シアバター、ココナツバター、パンプキン種子バター、ピーナッツバター、アーモンドバター、コーヒー豆バター、澄ましバター、大麻種子バター、モカチーノ（mochacchino）バター、ピスタチオナッツバター、シェイローバター及びそれらの混合物を含む群から選択される。一部の実施形態において、植物性油は、ヒマワリ油、アーモンド油、ゴマ油、ローズヒップ油、アーモンド油、ラズベリー種子油、ホホバ油、アボカド油、ヒマシ油、ココナツ油、菜種油、モリンガ油、オリーブ油、ブドウ種子油、アルガン油、バオバブ油、カラハリメロン油、ブラジルナッツ油及びそれらの混合物を含む群から選択される。
【００４３】
一部の実施形態において、石鹸は、ココアバター、シアバター、アボカド油、アルガン油、ヒマワリ油、カラハリメロン油、バオバブ油、ヒマシ油、ココナツ油、菜種油、アーモンド油、オリーブ油及びそれらの混合物を含む群から選択される、植物性バター及び／又は植物性油に由来する。
【００４４】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
石鹸は、固形石鹸組成物の１〜８０重量％の量の飽和脂肪酸を含み、石鹸は、固形石鹸組成物の１５〜９５重量％の量の不飽和脂肪酸を含む。
【００４５】
ｐＨ
本明細書において記述されている通り、本発明の一態様において、固形石鹸組成物は、７〜９．５のｐＨを有する。
【００４６】
本発明の１つの好ましい態様において、固形石鹸組成物は、７〜９．５、例えば７〜９．４、例えば７〜９．３、例えば７〜９．２、例えば７〜９．１、例えば７〜９、例えば７〜８．９のｐＨを有する。本発明の１つの好ましい態様において、固形石鹸組成物は、７．１〜９．５、例えば７．２〜９．５、例えば７．３〜９．５、例えば７．４〜９．５、例えば７．５〜９．５、例えば７．６〜９．５、例えば７．７〜９．５、例えば７．８〜９．５、例えば７．９〜９．５のｐＨを有する。本発明の１つの好ましい態様において、固形石鹸組成物は、７．１〜９．５、例えば７．１〜９．３、例えば７．５〜９．５、例えば７．５〜９．３、例えば７．９〜９．５、例えば７．９〜９．３、例えば８〜９．５、例えば８．１〜９．５、例えば８．２〜９．５のｐＨを有する。
【００４７】
上記で提供された範囲内のｐＨを有する固形石鹸組成物を提供することは、従来の石鹸組成物と比較して、繊細又は敏感な皮膚タイプの刺激も乾燥ももたらさない、物質的により穏やかな洗浄作用をもたらすことが見出されている。
【００４８】
水
本明細書において記述されている通り、水は、固形石鹸組成物の０．０１〜１５重量％の量で存在する。
【００４９】
１つの好ましい態様において、水は、固形石鹸組成物の０．０１〜１４重量％の量で存在する。１つの好ましい態様において、水は、固形石鹸組成物の０．０１〜１２．５重量％の量で存在する。１つの好ましい態様において、水は、固形石鹸組成物の０．０１〜１０重量％の量で存在する。１つの好ましい態様において、水は、固形石鹸組成物の０．０５〜１０重量％の量で存在する。１つの好ましい態様において、水は、固形石鹸組成物の０．１〜１０重量％の量で存在する。１つの好ましい態様において、水は、固形石鹸組成物の０．１５〜１０重量％の量で存在する。１つの好ましい態様において、水は、固形石鹸組成物の０．２〜１０重量％の量で存在する。１つの好ましい態様において、水は、固形石鹸組成物の０．２〜９重量％の量で存在する。１つの好ましい態様において、水は、固形石鹸組成物の０．２〜８重量％の量で存在する。１つの好ましい態様において、水は、固形石鹸組成物の０．２〜７．５重量％の量で存在する。１つの好ましい態様において、水は、固形石鹸組成物の０．２〜７重量％の量で存在する。
【００５０】
グリセロール
１つの好ましい態様において、固形石鹸組成物は、グリセロールをさらに含む。当業者であれば分かる通り、グリセロールは、鹸化の周知の副産物であり、すべての石鹸組成物中に様々な程度で存在する。市販の固形石鹸組成物の大多数において、グリセロールは除去され、食品、医薬品及び化粧品業界において等、その広範囲な潜在的応用により、別個の商品として利用される。
【００５１】
グリセロールは、空気中から水分を吸収し、高度に保湿した及び水和した表皮上層を維持し、皮膚のバリア機能を改善することができるため、化粧品及びパーソナルケア製品における保湿剤としてのその使用も広く公知である。高いグリセロール含有量の石鹸組成物は、概して、従来の石鹸によって引き起こされる乾燥効果を低減させるとみなされているため、多くの場合、繊細及び敏感な皮膚タイプに使用される。しかしながら、高レベルのグリセロールを含有する石鹸組成物は、固形石鹸組成物に浸透する水分を空気中及び環境から吸収するグリセロールの能力により、クラッキング及びマッシュのレベル増大の傾向がある。本明細書において使用される場合、「マッシュ」は、石鹸組成物が水と長期間にわたって接触したままである場合に形成される、ペーストである。「マッシュ」は、本明細書において、石鹸の可溶性成分が組成物から溶解し、残りの固形石鹸に水が吸収されて、組成物の膨張及び軟化を引き起こす、ペーストして定義される。クラッキングは、石鹸組成物が乾燥した際にその収縮及び可塑性の低減の結果として起こる。
【００５２】
１つの好ましい態様において、固形石鹸組成物は、固形石鹸組成物の０．０１〜１５重量％の量の、例えば固形石鹸組成物の０．０１〜１２．５重量％の量の、例えば固形石鹸組成物の０．０１〜１０重量％の量のグリセロールを含む。１つの好ましい態様において、固形石鹸組成物は、固形石鹸組成物の０．０５〜１５重量％の量の、例えば固形石鹸組成物の０．１〜１５重量％の量の、例えば固形石鹸組成物の０．５〜１５重量％の量の、例えば固形石鹸組成物の１〜１５重量％の量の、例えば固形石鹸組成物の２．５〜１５重量％の量の、例えば固形石鹸組成物の５〜１５重量％の量の、例えば固形石鹸組成物の５．５〜１５重量％の量のグリセロールを含む。
【００５３】
本発明の１つの好ましい態様において、固形石鹸組成物は、固形石鹸組成物の０．０１〜１５重量％の量のグリセロールを含む。１つの好ましい態様において、固形石鹸組成物は、固形石鹸組成物の１〜１０重量％の量のグリセロールを含む。１つの好ましい態様において、固形石鹸組成物は、固形石鹸組成物の５〜１０重量％の量のグリセロールを含む。
【００５４】
驚くべきことに、本発明の固形石鹸組成物を、人体を洗浄するために適切な固形石鹸製品の製造における石鹸基剤として使用して、固形石鹸組成物の０．０１〜１５重量％の量のグリセロールを含む固形石鹸組成物を提供する場合、製造方法の後の段階中に補充のグリセロールを添加する必要性を低減させる又は回避することが可能であることが見出された。固形石鹸組成物の０．０１〜１５重量％の量のグリセロールの存在により、固形石鹸製品を製造する方法中に（例えば、本明細書において記述されている「溶かして注ぐ」方法において）生成されるシロップに、固形石鹸組成物をはるかに効率的に溶解させることも可能となり得る。これは、製造方法中に石鹸組成物を完全に溶解するために必要とされる時間の低減につながり得る。
【００５５】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
（iii）固形石鹸組成物の０．０１〜１５重量％の量のグリセロールを含有する。
【００５６】
粒径
本発明の１つの好ましい態様において、固形石鹸組成物は、微粒子形態である。１つの好ましい態様において、固形石鹸組成物は、微粒子形態であり、固形石鹸組成物の少なくとも９０重量％は、１ｍｍを超えるサイズを有する。
【００５７】
一部の実施形態において、固形石鹸組成物は、微粒子形態であり、固形石鹸組成物の少なくとも９５重量％は、１ｍｍを超えるサイズを有し、例えば固形石鹸組成物の少なくとも９６重量％は、１ｍｍを超えるサイズを有し、例えば固形石鹸組成物の少なくとも９７重量％は、１ｍｍを超えるサイズを有し、例えば固形石鹸組成物の少なくとも９８重量％は、１ｍｍを超えるサイズを有する。
【００５８】
一部の実施形態において、固形石鹸組成物は、微粒子形態であり、固形石鹸組成物の少なくとも９０重量％は、１〜８０ｍｍのサイズを有し、例えば固形石鹸組成物の少なくとも９５重量％は、１〜８０ｍｍのサイズを有し、例えば固形石鹸組成物の少なくとも９６重量％は、１〜８０ｍｍのサイズを有し、例えば固形石鹸組成物の少なくとも９７重量％は、１〜８０ｍｍのサイズを有し、例えば固形石鹸組成物の少なくとも９８重量％は、１〜８０ｍｍのサイズを有する。
【００５９】
一部の実施形態において、固形石鹸組成物は、微粒子形態であり、固形石鹸組成物の少なくとも９０重量％は、１〜７５ｍｍのサイズを有し、例えば固形石鹸組成物の少なくとも９０重量％は、１〜７０ｍｍのサイズを有し、例えば固形石鹸組成物の少なくとも９５重量％は、１〜７０ｍｍのサイズを有し、例えば固形石鹸組成物の少なくとも９８重量％は、１〜７０ｍｍのサイズを有する。
【００６０】
一部の実施形態において、固形石鹸組成物は、微粒子形態であり、固形石鹸組成物の少なくとも４５重量％は、５ｍｍ未満のサイズを有し、例えば固形石鹸組成物の少なくとも５０重量％は、５ｍｍ未満のサイズを有し、例えば固形石鹸組成物の少なくとも５５重量％は、５ｍｍ未満のサイズを有し、例えば固形石鹸組成物の少なくとも６０重量％は、５ｍｍ未満のサイズを有し、例えば固形石鹸組成物の少なくとも６５重量％は、５ｍｍ未満のサイズを有し、例えば固形石鹸組成物の少なくとも７０重量％は、５ｍｍ未満のサイズを有する。
【００６１】
一部の実施形態において、固形石鹸組成物は、微粒子形態であり、固形石鹸組成物の少なくとも４５重量％は、１〜５ｍｍの粒径を有し、例えば固形石鹸組成物の少なくとも５０重量％は、１〜５ｍｍの粒径を有し、例えば固形石鹸組成物の少なくとも５５重量％は、１〜５ｍｍの粒径を有し、例えば固形石鹸組成物の少なくとも６０重量％は、１〜５ｍｍの粒径を有し、例えば固形石鹸組成物の少なくとも６５重量％は、１〜５ｍｍの粒径を有する。
【００６２】
驚くべきことに、固体組成物の少なくとも９０重量％が１〜８０ｍｍのサイズを有する場合、人体を洗浄するために適切な固形石鹸製品を固形石鹸組成物から生成するための方法において改善があり得ることが見出された。特に、驚くべきことに、人体を洗浄するために適切な固形石鹸製品の「溶かして注ぐ」製造方法中における石鹸組成物の溶解が改善され得ることが見出された。固形石鹸組成物の微粒子が８０ｍｍを超えるサイズを有する場合、質量凝集体が形成され得、これは、水性相内の過剰な熱伝達及び効果のない溶解により、その後劣化し得ることが見出された。粒径が１ｍｍ未満である場合、固形石鹸組成物の微粒子は、水性相の表面上に残って層を形成し得、これは、水性相内の過剰な熱伝達及び効果のない溶解により、その後劣化し得る。
【００６３】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
（iii）微粒子形態であり、固形石鹸組成物の少なくとも９０重量％は、１〜８０ｍｍのサイズを有する。
【００６４】
密度
本発明の１つの好ましい態様において、固形石鹸組成物は、０．５ｇ／ｃｍ３〜１．５ｇ／ｃｍ３の密度を有する。
【００６５】
本発明の１つの好ましい態様において、固形石鹸組成物は、０．５〜１．５ｇ／ｃｍ３、例えば０．６〜１．２５ｇ／ｃｍ３、例えば０．７〜１．１ｇ／ｃｍ３、例えば０．７５〜１．１ｇ／ｃｍ３、例えば０．８〜１．１ｇ／ｃｍ３、例えば０．８５〜１．１ｇ／ｃｍ３、例えば０．９〜１．１ｇ／ｃｍ３の密度を有する。
【００６６】
驚くべきことに、固形石鹸組成物が０．５〜１．５ｇ／ｃｍ３の密度を有する場合、人体を洗浄するために適切な固形石鹸製品を固形石鹸組成物から生成するための方法において改善があり得ることが見出された。特に、驚くべきことに、人体を洗浄するために適切な固形石鹸製品の「溶かして注ぐ」製造方法中における石鹸組成物の溶解が改善され得ることが見出された。固形石鹸組成物の微粒子が１．５ｇ／ｃｍ３を超える密度を有する場合、質量凝集体が形成され得、これは、水性相内の過剰な熱伝達及び効果のない溶解により、その後劣化し得ることが見出された。密度が０．５ｇ／ｃｍ３未満である場合、固形石鹸組成物の微粒子は、水性相の表面上に残って層を形成し得、これは、水性相内の過剰な熱伝達及び効果のない溶解により、その後劣化し得る。
【００６７】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
（iii）０．５ｇ／ｃｍ３〜１．５ｇ／ｃｍ３の密度を有する。
【００６８】
組成物
本発明に従って、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有する。
【００６９】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
（iii）固形石鹸組成物の０．０１〜１５重量％の量のグリセロールを含有し、
（iv）微粒子形態であり、固形石鹸組成物の少なくとも９０重量％は、１〜８０ｍｍのサイズを有する。
【００７０】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
（iii）固形石鹸組成物の０．０１〜１５重量％の量のグリセロールを含有し、
（iv）微粒子形態であり、固形石鹸組成物の少なくとも９０重量％は、１〜８０ｍｍのサイズを有し、
（ｖ）０．５〜１．５ｇ／ｃｍ３の密度を有する。
【００７１】
１つの好ましい態様において、固形石鹸組成物は、固形石鹸組成物の少なくとも７０重量％の量の石鹸を含み、固形石鹸組成物は、
（ｉ）７〜９．５のｐＨを有し、
（ii）固形石鹸組成物の０．０１〜１５重量％の量の水を含有し、
（iii）固形石鹸組成物の０．０１〜１５重量％の量のグリセロールを含有し、
（iv）微粒子形態であり、固形石鹸組成物の少なくとも９０重量％は、１〜８０ｍｍのサイズを有し、
石鹸は、固形石鹸組成物の１〜８０重量％の量の飽和脂肪酸を含み、石鹸は、固形石鹸組成物の１５〜９５重量％の量の不飽和脂肪酸を含む。
【００７２】
固形石鹸組成物は、所望の組成物を提供するため等の１又は２以上の追加成分をさらに含んでよい。一態様において、固形石鹸組成物は、香料、ハーブ、着色剤、キレート化剤、穀物、果物、野菜、海藻、花、粘土及びそれらの混合物から選択される少なくとも１つの追加成分をさらに含む。一態様において、固形石鹸組成物は、固形石鹸組成物の０．１〜３０重量％の量の、香料、ハーブ、着色剤、キレート化剤、穀物、果物、野菜、海藻、花、粘土及びそれらの混合物から選択される少なくとも１つの追加成分をさらに含む。一態様において、固形石鹸組成物は、固形石鹸組成物の０．１〜１０重量％の量の、香料、ハーブ、着色剤、穀物、果物、野菜、海藻、花、粘土及びそれらの混合物から選択される少なくとも１つの追加成分をさらに含む。
【００７３】
一態様において、固形石鹸組成物は、キレート化剤をさらに含む。１つの好ましい態様において、キレート化剤は、クエン酸、クエン酸ナトリウム、エチレンジアミン四酢酸（ＥＤＴＡ，ethylene diamine tetra acetic acid）及びそれらの混合物から選択される。好ましくは、キレート化剤は、クエン酸ナトリウムである。一態様において、固形石鹸組成物は、固形石鹸組成物の０．１〜３０重量％の量の、例えば固形石鹸組成物の１０〜３０重量％の量の、例えば固形石鹸組成物の２０〜３０重量％の量の、例えば固形石鹸組成物の２２．５〜２７．５重量％の量の、例えば固形石鹸組成物のおよそ２５重量％の量のキレート化剤（好ましくはクエン酸ナトリウム）を含む。
【００７４】
本発明は、一般的には本明細書において記述されている溶かして注ぐ方法によって、固形石鹸製品に形成され得る、石鹸組成物又は石鹸基剤に関する。一部の実施形態において、本明細書において記述されている溶かして注ぐ方法は、国際公開第２０１５／１２８６４９号パンフレットにおいて記述されている通り、石鹸を溶かす際に熱伝達を補助するためにプロピレングリコールの存在を必要としない。したがって、本石鹸組成物又は石鹸基剤は、プロピレングリコールを含有せず、その生成においてプロピレングリコールを利用しなかった石鹸を購入するための選択をユーザーに提供し得る。
【００７５】
プロピレングリコールの回避は、幾つかの理由で有利である。特に、プロピレングリコールは、一般的には、石油工業に由来する。多くの消費者は、それらの供給源材料として、化石燃料に頼っている製品を回避したいと願っている。さらに、本発明者らは、化粧品におけるプロピレングリコールの使用が、ユーザーにおいて皮膚感作性をもたらし得ることを見出した。本システムは、溶かして注ぐ方法によって形成され得るが、先行技術のシステムの不利点、すなわち使用時の皮膚感作性を回避する、石鹸製品を提供する。
【００７６】
方法
本発明の一態様において、固形石鹸組成物の生成のための方法であって、
（ａ）水酸化物溶液及びトリグリセリドを接触させて、鹸化混合物を形成するステップと、
（ｂ）鹸化混合物を、混合物が３００〜５００ｃＰの粘度を有するまで、５０〜７０℃の温度で撹拌するステップと、
（ｃ）ステップ（ｂ）の混合物を、１３０〜１７０℃の温度で硬化して、固形石鹸組成物を形成するステップと
を含む、方法が提供される。
【００７７】
一部の実施形態において、トリグリセリドは、上述した通り、脂肪酸に由来する。
【００７８】
一部の実施形態において、トリグリセリドは、植物性バター及び／又は植物性油に由来する。一部の実施形態において、植物性バターは、ココアバター、イリペバター、ムルムルバター、コクムバター、アロエバター、アボカドバター、クプアスバター、マカダミアナッツバター、マンゴーバター、オリーブバター、シアバター、ココナツバター、パンプキン種子バター、ピーナッツバター、アーモンドバター、コーヒー豆バター、澄ましバター、大麻種子バター、モカチーノバター、ピスタチオナッツバター、シェイローバター及びそれらの混合物を含む群から選択される。一部の実施形態において、植物性油は、ヒマワリ油、アーモンド油、ゴマ油、ローズヒップ油、アーモンド油、ラズベリー種子油、ホホバ油、アボカド油、ヒマシ油、ココナツ油、菜種油、モリンガ油、オリーブ油、ブドウ種子油、アルガン油、バオバブ油、カラハリメロン油、ブラジルナッツ油及びそれらの混合物を含む群から選択される。
【００７９】
一部の実施形態において、トリグリセリドは、ココアバター、シアバター、アボカド油、アルガン油、ヒマワリ油、カラハリメロン油、バオバブ油、ヒマシ油、ココナツ油、菜種油、アーモンド油、オリーブ油及びそれらの混合物を含む群から選択される、植物性バター及び／又は植物性油に由来する。
【００８０】
一部の実施形態において、鹸化混合物を、ステップ（ｂ）において、混合物が３００〜５００ｃＰの粘度を有するまで、５５〜７０℃の温度で撹拌する。一部の実施形態において、鹸化混合物を、ステップ（ｂ）において、混合物が３００〜５００ｃＰの粘度を有するまで、５０〜６５℃の温度で撹拌する。一部の実施形態において、鹸化混合物を、ステップ（ｂ）において、混合物が３００〜５００ｃＰの粘度を有するまで、５５〜６５℃の温度で撹拌する。一部の実施形態において、鹸化混合物を、ステップ（ｂ）において、混合物が３００〜５００ｃＰの粘度を有するまで、およそ６０℃の温度で撹拌する。一部の実施形態において、粘度は、Viscolite 700ポータブル粘度計によって測定される通りである。
【００８１】
一部の実施形態において、粘度は、Viscolite 700ポータブル粘度計によって測定される通りである。故に、さらなる態様において、本発明は、固形石鹸組成物の生成のための方法であって、
（ａ）水酸化物溶液及びトリグリセリドを接触させて、鹸化混合物を形成するステップと、
（ｂ）鹸化混合物を、Viscolite 700ポータブル粘度計を用いて測定した際に、混合物が３００〜５００ｃＰの粘度を有するまで、５０〜７０℃の温度で撹拌するステップと、
（ｃ）ステップ（ｂ）の混合物を、１３０〜１７０℃の温度で硬化して、固形石鹸組成物を形成するステップと
を含む、方法を提供する。
【００８２】
一部の実施形態において、鹸化混合物を、ステップ（ｂ）において、混合物が３００〜５００ｃＰの粘度、例えば３０５〜４９５ｃＰの粘度、例えば３１０〜４９０ｃＰの粘度、例えば３１５〜４８５ｃＰの粘度、例えば３２０〜４８０ｃＰの粘度、例えば３２０〜４７５ｃＰの粘度を有するまで、５０〜７０℃の温度で撹拌する。一部の実施形態において、粘度は、Viscolite 700ポータブル粘度計によって測定される通りである。当業者であれば分かるであろう通り、１ｃＰ（センチポアズ）は、１ｍＰａ．ｓ（ミリパスカル−秒）と同等である。したがって、一態様において、鹸化混合物を、ステップ（ｂ）において、混合物が３００〜５００ｍＰａ．ｓの粘度を有するまで、５０〜７０℃の温度で撹拌する。
【００８３】
一部の実施形態において、ステップ（ｂ）の混合物を、ステップ（ｃ）において、１３５〜１７０℃の温度で硬化して、固形石鹸組成物を形成する。一部の実施形態において、ステップ（ｂ）の混合物を、ステップ（ｃ）において、１３５〜１６５℃の温度で硬化して、固形石鹸組成物を形成する。一部の実施形態において、ステップ（ｂ）の混合物を、ステップ（ｃ）において、１４０〜１６０℃の温度で硬化して、固形石鹸組成物を形成する。一部の実施形態において、ステップ（ｂ）の混合物を、ステップ（ｃ）において、１４５〜１５５℃の温度で硬化して、固形石鹸組成物を形成する。一部の実施形態において、ステップ（ｂ）の混合物を、ステップ（ｃ）において、およそ１５０℃の温度で硬化して、固形石鹸組成物を形成する。
【００８４】
一部の実施形態において、ステップ（ｂ）の混合物を、ステップ（ｃ）において、約２４時間以下の期間にわたって硬化して、固形石鹸組成物を形成する。一部の実施形態において、ステップ（ｂ）の混合物を、ステップ（ｃ）において、約１８時間以下の期間にわたって硬化して、固形石鹸組成物を形成する。一部の実施形態において、ステップ（ｂ）の混合物を、ステップ（ｃ）において、約１２時間以下の期間にわたって硬化して、固形石鹸組成物を形成する。一部の実施形態において、ステップ（ｂ）の混合物を、ステップ（ｃ）において、約１０時間以下の期間にわたって硬化して、固形石鹸組成物を形成する。一部の実施形態において、ステップ（ｂ）の混合物を、ステップ（ｃ）において、約９時間以下の期間にわたって硬化して、固形石鹸組成物を形成する。一部の実施形態において、ステップ（ｂ）の混合物を、ステップ（ｃ）において、約８時間以下の期間にわたって硬化して、固形石鹸組成物を形成する。一部の実施形態において、ステップ（ｂ）の混合物を、ステップ（ｃ）において、約７時間以下の期間にわたって硬化して、固形石鹸組成物を形成する。一部の実施形態において、ステップ（ｂ）の混合物を、ステップ（ｃ）において、約６時間以下の期間にわたって硬化して、固形石鹸組成物を形成する。一部の実施形態において、ステップ（ｂ）の混合物を、ステップ（ｃ）において、約５時間以下の期間にわたって硬化して、固形石鹸組成物を形成する。一部の実施形態において、ステップ（ｂ）の混合物を、ステップ（ｃ）において、約４時間以下の期間にわたって硬化して、固形石鹸組成物を形成する。一部の実施形態において、ステップ（ｂ）の混合物を、ステップ（ｃ）において、約３時間以下の期間にわたって硬化して、固形石鹸組成物を形成する。一部の実施形態において、ステップ（ｂ）の混合物を、ステップ（ｃ）において、約２時間以下の期間にわたって硬化して、固形石鹸組成物を形成する。
【００８５】
一部の実施形態において、ステップ（ｂ）の混合物を、ステップ（ｃ）において、約０．５時間〜約２４時間の期間にわたって硬化して、固形石鹸組成物を形成する。一部の実施形態において、ステップ（ｂ）の混合物を、ステップ（ｃ）において、約０．５時間〜約１２時間の期間にわたって硬化して、固形石鹸組成物を形成する。一部の実施形態において、ステップ（ｂ）の混合物を、ステップ（ｃ）において、約１時間〜約６時間の期間にわたって硬化して、固形石鹸組成物を形成する。
【００８６】
したがって、１つの好ましい態様において、固形石鹸組成物の生成のための方法は、
（ａ）水酸化物溶液及びトリグリセリドを接触させて、鹸化混合物を形成するステップと、
（ｂ）鹸化混合物を、混合物が３００〜５００ｃＰの粘度を有するまで（例えば、Viscolite 700ポータブル粘度計によって測定される通り）、５０〜７０℃の温度で撹拌するステップと、
（ｃ）ステップ（ｂ）の混合物を、１３０〜１７０℃の温度で、約２４時間以下の期間にわたって硬化して、固形石鹸組成物を形成するステップと
を含む。
【００８７】
一部の実施形態において、ステップ（ｃ）の固形石鹸組成物は、その後処置されて微粒子形態の固形石鹸組成物を提供する（ｄ）であり、固形石鹸組成物の重量の少なくとも９０％は、１〜８０ｍｍのサイズを有する。一部の実施形態において、方法は、
（ａ）水酸化物溶液及びトリグリセリドを接触させて、鹸化混合物を形成するステップと、
（ｂ）鹸化混合物を、混合物が３００〜５００ｃＰの粘度を有するまで（例えば、Viscolite 700ポータブル粘度計によって測定される通り）、５０〜７０℃の温度で撹拌するステップと、
（ｃ）ステップ（ｂ）の混合物を、１３０〜１７０℃の温度で硬化して、固形石鹸組成物を形成するステップと、
（ｄ）ステップ（ｃ）の固形石鹸組成物をその後処置して、微粒子形態の固形石鹸組成物を提供するステップであって、固形石鹸組成物の重量の少なくとも９０％が、１〜８０ｍｍのサイズを有する、ステップと
を含む。
【００８８】
一部の実施形態において、ステップ（ｄ）の処置は、粉砕、磨砕及びそれらの組合せから選択される。一部の実施形態において、ステップ（ｄ）の処置は、粉砕である。一部の実施形態において、ステップ（ｄ）の処置は、磨砕である。一部の実施形態において、ステップ（ｄ）の処置は、粉砕及び磨砕の組合せである。
【００８９】
一部の実施形態において、ステップ（ｃ）において生成される固形石鹸組成物は、本発明に従う固形石鹸組成物である。したがって、一部の実施形態において、固形石鹸組成物の生成のための方法であって、
（ａ）水酸化物溶液及びトリグリセリドを接触させて、鹸化混合物を形成するステップと、
（ｂ）鹸化混合物を、混合物が３００〜５００ｃＰの粘度を有するまで（例えば、Viscolite 700ポータブル粘度計によって測定される通り）、５０〜７０℃の温度で撹拌するステップと、
（ｃ）ステップ（ｂ）の混合物を、１３０〜１７０℃の温度で硬化して、固形石鹸組成物を形成するステップと
を含み、固形石鹸組成物が、固形石鹸組成物の少なくとも７０重量％の量の石鹸を含み、固形石鹸組成物が、
（ｉ）７〜９．５のｐＨを有し、
（ii）固形石鹸組成物の０．０１〜１５重量％の量の水を含有する、
方法が提供される。
【００９０】
驚くべきことに、組成物の０．０１〜１５重量％の量のグリセロールを含有する石鹸組成物は、鹸化プロセス中にグリセロールをインサイチュで保存し、硬化相の間中その存在を維持することにより、クラッキングに対する優れた耐性及びマッシュ形成率の低減を有するものが製造され得ることが、本発明者らにより見出された。
【００９１】
植物性バター及び植物性油を鹸化するプロセスは、脂肪酸及びグリセロールの塩を生成するトリグリセリドの塩基加水分解として、当技術分野において公知である。植物性バター及び植物性油は、一般的には、均質化され、水酸化ナトリウム等の強塩基と混合されて、鹸化反応を開始する。鹸化は、石鹸を製造するための「コールドプロセス」又は「ホットプロセス」法を介して進行し得る。「ホットプロセス」技術は、トリグリセリドの鹸化が起こる速度を増大させるために外部エネルギー入力を必要とし、これは、周囲温度で進行し、比較して遅い鹸化の速度をもたらす「コールドプロセス」技術とは異なる。
【００９２】
ある特定の温度でトリグリセリド源を均質化し、ヒートジャケット付きリボンブレンダー内で灰汁溶液と混合することにより、高品質及び均一な石鹸組成物が製造され得ることも、本発明者らにより見出された。
【００９３】
リボンブレンダーは、一般的には、Ｕ字形水平トラフ、並びに内側及び外側ヘリカルブレードのセットからなるダブルヘリカルリボン撹拌機を含む。外側リボンは、材料を混合物の末端から中心に移し、一方、内側リボンは、材料を混合物の中心から末端に移動させる。この逆流作用は、成分部分の均質及び効率的なブレンディングをもたらす。リボンブレンダーは、多くの場合、食品及び化粧品業界において、乾燥原料を均質化するために使用されるが、乾燥及び液体成分の両方をブレンドすることも公知である。
【００９４】
リボンブレンダーは、伝統的な単相パドルミキサー又はスティックブレンダーを使用するよりも速い速度でトリグリセリドの鹸化を実体化させ得る、植物性バター、植物性油及び灰汁溶液の優れたブレンド効率を提供することが見出された。
【００９５】
したがって、１つの好ましい態様において、固形石鹸組成物の生成のための方法であって、
（ａ）リボンブレンダー内で水酸化物溶液及びトリグリセリドを接触させて、鹸化混合物を形成するステップと、
（ｂ）鹸化混合物を、混合物が３００〜５００ｃＰの粘度を有するまで（例えば、Viscolite 700ポータブル粘度計によって測定される通り）、５０〜７０℃の温度で撹拌するステップと、
（ｃ）ステップ（ｂ）の混合物を、１３０〜１７０℃の温度で硬化して、固形石鹸組成物を形成するステップと
を含む、方法が提供される。
【００９６】
本発明による単相プロセスによって得られる組成物は、さらなる硬化を必要としないことがあり、高い品質及び均質性のものであるとみなされ得、故に、粉砕、磨砕又はプロッディング（plodding）等の追加の加工を最小限しか又は全く必要としない。
【００９７】
本発明の前述の方法により生じる固形石鹸組成物は、その後、さらに洗練された及び職人による化粧石鹸の生成において利用され得、これは、繊細及び敏感な皮膚における使用に有益となる、ある特定の品質を伝えることが見出されている。
【００９８】
さらに、前述の方法の効率、低エネルギー需要及び最小限の廃棄物により、潜在的な段取費及び維持費、並びに製造時間も最小化しながら、環境及び社会的影響が低減される。
【００９９】
固形石鹸製品の生成のための方法
本発明の一態様において、人体を洗浄するために適切な固形石鹸製品の生成のための方法であって、
（ａ）石鹸及びグリセロールを含む固形石鹸基剤を用意するステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法が提供される。
【０１００】
石鹸製品のこの製造方法は、当技術分野において、一般的には、石鹸基剤が水性相に溶かされ、その後、香料、着色剤、皮膚軟化剤、保湿剤及び他の有益な添加物等の追加品目が添加され得る、「溶かして注ぐ」技術として公知である。したがって、一部の実施形態において、固形石鹸基剤を、ステップ（ｂ）において、固形石鹸基剤よりも高温である水性相への固形石鹸基剤の添加を介して加熱して、石鹸液混合物を形成する。一部の実施形態において、固形石鹸基剤を、ステップ（ｂ）において、固形石鹸基剤よりも高温である水性相への固形石鹸基剤の添加を介して加熱して、石鹸液混合物を形成し、水性相は、水、保湿剤（例えば、蜂蜜及び／又はグリセロール）、糖、糖アルコール及びそれらの混合物から選択される少なくとも１つの成分を含む。一部の実施形態において、固形石鹸基剤を、ステップ（ｂ）において、固形石鹸基剤よりも高温である水性相への固形石鹸基剤の添加を介して加熱して、石鹸液混合物を形成し、水性相は、水、蜂蜜、グリセロール、アガベシロップ、糖、糖アルコール及びそれらの混合物から選択される少なくとも１つの成分を含む。一部の実施形態において、固形石鹸基剤を、ステップ（ｂ）において、固形石鹸基剤よりも高温である水性相への固形石鹸基剤の添加を介して加熱して、石鹸液混合物を形成し、水性相は、少なくともグリセロールを含む。
【０１０１】
一部の実施形態において、固形石鹸基剤を、ステップ（ｂ）において、水性相への固形石鹸基剤の添加を介して加熱し、固形石鹸基剤及び水性相の結果として生じた混合物を加熱して、石鹸液混合物を形成する。一部の実施形態において、固形石鹸基剤を、ステップ（ｂ）において、水性相への固形石鹸基剤の添加を介して加熱し、固形石鹸基剤及び水性相の結果として生じた混合物を加熱して、石鹸液混合物を形成し、水性相は、水、保湿剤（例えば、蜂蜜及び／又はグリセロール）、糖、糖アルコール及びそれらの混合物から選択される少なくとも１つの成分を含む。一部の実施形態において、固形石鹸基剤を、ステップ（ｂ）において、水性相への固形石鹸基剤の添加を介して加熱し、固形石鹸基剤及び水性相の結果として生じた混合物を加熱して、石鹸液混合物を形成し、水性相は、水、蜂蜜、グリセロール、アガベシロップ、糖、糖アルコール及びそれらの混合物から選択される少なくとも１つの成分を含む。一部の実施形態において、固形石鹸基剤を、ステップ（ｂ）において、水性相への固形石鹸基剤の添加を介して加熱し、固形石鹸基剤及び水性相の結果として生じた混合物を加熱して、石鹸液混合物を形成し、水性相は、少なくともグリセロールを含む。
【０１０２】
一部の実施形態において、固形石鹸基剤を、ステップ（ｂ）において、直接的に加熱して液体形態の石鹸基剤を提供し、石鹸液混合物を形成する。一部の実施形態において、固形石鹸基剤を、ステップ（ｂ）において、直接的に加熱して液体形態の石鹸基剤を提供し、液体形態の石鹸基剤をグリセロールと接触させて、石鹸液混合物を形成する。
【０１０３】
一部の実施形態において、固形石鹸基剤を、ステップ（ｂ）において、加熱して液体形態の石鹸基剤を提供し、次いでその後、水性相と接触させて、石鹸液混合物を形成する。一部の実施形態において、固形石鹸基剤を、ステップ（ｂ）において、加熱して液体形態の石鹸基剤を提供し、次いでその後、水性相と接触させて、石鹸液混合物を形成し、水性相は、水、保湿剤（例えば、蜂蜜及び／又はグリセロール）、糖、糖アルコール及びそれらの混合物から選択される少なくとも１つの成分を含む。一部の実施形態において、固形石鹸基剤を、ステップ（ｂ）において、加熱して液体形態の石鹸基剤を提供し、次いでその後、水性相と接触させて、石鹸液混合物を形成し、水性相は、水、蜂蜜、グリセロール、アガベシロップ、糖、糖アルコール及びそれらの混合物から選択される少なくとも１つの成分を含む。一部の実施形態において、固形石鹸基剤を、ステップ（ｂ）において、加熱して液体形態の石鹸基剤を提供し、次いでその後、水性相と接触させて、石鹸液混合物を形成し、水性相は、少なくともグリセロールを含む。
【０１０４】
１つの好ましい態様において、水性相は、水を含む。水性相が水を含む実施形態において、水は、固形石鹸製品の０．５〜４８．５重量％の量で、例えば固形石鹸製品の１〜４５重量％の量で、例えば固形石鹸製品の１０〜４０重量％の量で、例えば固形石鹸製品の１５〜３５重量％の量で、例えば固形石鹸製品の１５〜３２．５重量％の量で存在してよい。水性相中に存在する水は、任意の適切な供給源から提供されてよい。一態様において、水性相中の水は、蒸留水、脱イオン水、水道水、植物浸出液、植物煎じ汁（茶及びコーヒーを含む）、フルーツジュース、野菜ジュース、酢、ビール、ワイン、蒸留酒及びそれらの混合物から選択される供給源から提供される。一態様において、水性相中の水は、蒸留水、脱イオン水及び水道水から選択される供給源から提供される。
【０１０５】
１つの好ましい態様において、水性相は、蜂蜜を含む。水性相が蜂蜜を含む実施形態において、蜂蜜は、固形石鹸製品の０．１〜３０重量％の量で存在してよい。
【０１０６】
１つの好ましい態様において、水性相は、糖を含む。一態様において、糖は、スクロース、フルクトース及びそれらの混合物から選択される。一態様において、糖は、スクロースである。一態様において、糖は、フルクトースである。一態様において、糖は、上白糖、グラニュー糖、ブラウンシュガー、スクロース粉末、フルクトース粉末及びそれらの混合物から選択される。水性相が糖を含む実施形態において、糖は、固形石鹸製品の０．１〜３０重量％の量で存在してよい。水性相が、上白糖、グラニュー糖、ブラウンシュガー、スクロース粉末、フルクトース粉末及びそれらの混合物から選択される糖を含む実施形態において、糖は、固形石鹸製品の０．１〜１０重量％の量で存在してよい。
【０１０７】
１つの好ましい態様において、水性相は、糖アルコールを含む。一態様において、糖アルコールは、ソルビトール、マルチトール、マンニトール及びそれらの混合物から選択される。水性相が糖アルコールを含む実施形態において、糖アルコールは、固形石鹸製品の０．１〜１０重量％の量で存在してよい。
【０１０８】
当業者であれば分かるであろう通り、蜂蜜及び／又は糖及び／又は糖アルコールの使用（グリセロールが石鹸基剤自体内に存在し得る場合、熱及びグリセロール等の追加の保湿剤の存在下）は、シロップの形成をもたらす。溶かして注ぐ石鹸の生成中に、熱は、このシロップを通して、石鹸基剤中に存在するグリセロール等の保湿剤に伝達され得る。このエネルギー伝達は、鹸化した脂肪酸が、それらのミセル構造から放出されることを可能にする。鹸化した頭部は、シロップの水含有量に引き付けられ、一方、脂肪鎖はシロップの糖含有量内に留まることができる。これは、石鹸を溶かし、先に列挙した通りの追加の材料の包含によって簡単に操作できる組成物を作成することを可能にする。これは、国際公開第２０１５／１２８６４９号パンフレットにおいて詳細に記述されている通り、プロピレングリコールを含むことを必要とすることなく石鹸製品を生成させ得る。しかしながら、一部の態様において、プロピレングリコールを含む石鹸製品が生成され得、プロピレングリコールは、前述の方法のステップ（ｂ）中に添加される。
【０１０９】
まだ溶融状態である間に、組成物を、鋳型に注ぎ入れ、冷却して、人体を洗浄するために適切な洗練された固形石鹸製品を産生することができ、製品を、固体バーとして、薄切りする、押圧する又は取り外すことができる。
【０１１０】
一部の実施形態において、固形石鹸基剤は、本発明に従う固形石鹸組成物である。したがって、一部の実施形態において、人体を洗浄するために適切な固形石鹸製品の生成のための方法であって、
（ａ）グリセロール及び固形石鹸組成物の少なくとも７０重量％の量の石鹸を含む固形石鹸組成物を用意するステップであって、固形石鹸組成物が、（ｉ）７〜９．５のｐＨを有し、（ii）固形石鹸組成物の０．０１〜１５重量％の量の水を含有する、ステップと、
（ｂ）固形石鹸組成物を加熱して液体形態の石鹸組成物を提供し、任意で石鹸組成物をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法が提供される。
【０１１１】
一部の実施形態において、固形石鹸基剤は、本発明に従う方法によって生成される固形石鹸組成物である。したがって、一部の実施形態において、人体を洗浄するために適切な固形石鹸製品の生成のための方法であって、
（ａ）
（ａ−ｉ）水酸化物溶液及びトリグリセリドを接触させて、鹸化混合物を形成するステップ、
（ａ−ii）鹸化混合物を、混合物が３００〜５００ｃＰの粘度を有するまで（例えば、Viscolite 700ポータブル粘度計によって測定される通り）、５０〜７０℃の温度で撹拌するステップ、
（ａ−iii）ステップ（ａ−ii）の混合物を、１３０〜１７０℃の温度で硬化して、グリセロール及び石鹸を含む固形石鹸組成物を形成するステップ
によって、グリセロール及び固形石鹸組成物の少なくとも７０重量％の量の石鹸を含む固形石鹸組成物を用意するステップであって、固形石鹸組成物が、（ｉ）７〜９．５のｐＨを有し、（ii）固形石鹸組成物の０．０１〜１５重量％の量の水を含有する、ステップと、
（ｂ）固形石鹸組成物を加熱して、液体形態の石鹸組成物を提供し、任意で石鹸組成物をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法が提供される。
【０１１２】
一部の実施形態において、固形石鹸製品は、固形石鹸製品の０．０１〜３５重量％、例えば固形石鹸製品の０．５〜３０重量％、例えば固形石鹸製品の１〜３０重量％、例えば固形石鹸製品の２．５〜２７．５重量％、例えば固形石鹸製品の５〜２５重量％の量のグリセロールを含む。
【０１１３】
一部の実施形態において、固形石鹸製品中に存在するグリセロールの８０重量％以下が石鹸基剤に添加されるように、グリセロールを、ステップ（ｂ）において、固形石鹸製品の２０重量％以下の量で、例えば固形石鹸製品の１７．５重量％以下の量で、例えば固形石鹸製品の１５重量％以下の量で、例えば固形石鹸製品の１４重量％以下の量で、例えば固形石鹸製品の１３重量％以下の量で、例えば固形石鹸製品の１２．５重量％以下の量で、石鹸基剤に添加する。
【０１１４】
一部の実施形態において、人体を洗浄するために適切な固形石鹸製品を生成するための方法は、ステップ（ｃ）の前に追加のステップ（ｂ−ｉ）をさらに含み、ステップ（ｂ−ｉ）は、１又は２以上の追加成分を石鹸液混合物に添加することを含む。一態様において、１又は２以上の追加成分は、蜂蜜、糖、糖アルコール、界面活性剤、油、バター、ワックス、果物、野菜、粘土、ハーブ、穀物、豆、タンパク質、結合剤、充填剤、不透明化剤、香水、着色材、香料、スクラブ、角質除去剤及びそれらの混合物から選択される。
【０１１５】
ステップ（ｂ−ｉ）において糖が添加される実施形態において、糖は、固形石鹸製品の０．１〜３０重量％の量で、例えば固形石鹸製品の０．１〜１０重量％の量で添加されてよい。
【０１１６】
ステップ（ｂ−ｉ）において糖アルコールが添加される実施形態において、糖アルコールは、固形石鹸製品の０．１〜１０重量％の量で添加されてよい。
【０１１７】
ステップ（ｂ−ｉ）において蜂蜜が添加される実施形態において、蜂蜜は、固形石鹸製品の０．１〜３０重量％の量で添加されてよい。
【０１１８】
驚くべきことに、石鹸基剤中における固形石鹸微粒子の粒径及び密度は、「溶かして注ぐ」製造方法中、石鹸組成物の溶解に効果を有し得ることが見出された。微粒子のサイズが大きすぎる又は密度が大きすぎる場合、質量凝集体が形成され得、これは、水性相内の過剰な熱伝達及び効果のない溶解により、その後劣化し得ることが見出された。粒径が小さすぎる又は密度が低すぎる場合、石鹸微粒子は、水性相の表面上に残って層を形成し得、これは、水性相内の過剰な熱伝達及び効果のない溶解により、その後劣化し得る。最適な粒径は、固形石鹸組成物の少なくとも９０重量％が１〜８０ｍｍの粒径を有する場合であることが見出された。最適な密度は、０．５ｇ／ｃｍ３〜１．５ｇ／ｃｍ３のものであることが見出された。
【０１１９】
したがって、一部の実施形態において、人体を洗浄するために適切な固形石鹸製品の生成のための方法であって、
（ａ）石鹸及びグリセロールを含む固形石鹸基剤を用意するステップであって、石鹸基剤が微粒子形態であり、固形石鹸組成物の少なくとも９０重量％が、１〜８０ｍｍのサイズを有する、ステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法が提供される。
【０１２０】
一部の実施形態において、人体を洗浄するために適切な固形石鹸製品の生成のための方法であって、
（ａ）石鹸及びグリセロールを含む固形石鹸基剤を用意するステップであって、石鹸基剤が、０．５ｇ／ｃｍ３〜１．５ｇ／ｃｍ３の密度を有する、ステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法が提供される。
【０１２１】
固形石鹸製品
一部の実施形態において、
（ａ）石鹸及びグリセロールを含む固形石鹸基剤を用意するステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法によって取得される又は取得可能な人体を洗浄するために適切な固形石鹸製品が提供される。
【０１２２】
一部の実施形態において、固形石鹸基剤は、本発明に従う固形石鹸組成物である。したがって、一部の実施形態において、
（ａ）グリセロール及び固形石鹸組成物の少なくとも７０重量％の量の石鹸を含む固形石鹸組成物を用意するステップであって、固形石鹸組成物が、（ｉ）７〜９．５のｐＨを有し、（ii）固形石鹸組成物の０．０１〜１５重量％の量の水を含有する、ステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸製品を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法によって取得される又は取得可能な人体を洗浄するために適切な固形石鹸製品が提供される。
【０１２３】
本明細書において記述されている通り、固形石鹸製品は、人体を洗浄するために適切である。したがって、固形石鹸製品は、ユーザーの皮膚を固形石鹸製品と接触させるステップを含む方法において使用するために適切である。固形石鹸製品は、ユーザーによって自己適用されても、別の個体によって適用されてもよい。固形石鹸製品は、好ましくは、ユーザーによって、皮膚のクレンザーとして使用される。
【０１２４】
一部の実施形態において、固形石鹸製品は、グリセロールを含み、固形石鹸製品中に存在するグリセロールの総量は、固形石鹸製品の０．０１〜３５重量％、例えば固形石鹸製品の０．５〜３０重量％、例えば固形石鹸製品の１〜３０重量％、例えば固形石鹸製品の１〜２７．５重量％、例えば固形石鹸製品の１〜２５重量％、例えば固形石鹸製品の１〜２２．５重量％、例えば固形石鹸製品の１〜２０重量％、例えば固形石鹸製品の２〜２０重量％の量で、例えば固形石鹸製品の２．５〜１７．５重量％の量である。本明細書において使用される場合、用語「グリセロールの総量」は、石鹸基剤中に存在するグリセロール及び固形石鹸製品中の追加のグリセロールの量の合わせた総量を意味する。
【０１２５】
本明細書において使用される場合、用語「追加のグリセロール」は、人体を洗浄するために適切な固形石鹸製品を生成するための方法の、ステップ（ｂ）−固形石鹸基剤を加熱して、液体形態の石鹸基剤を提供し、任意で石鹸基剤をグリセロールと接触させて、石鹸液混合物を形成するステップ−において、石鹸基剤に添加されるグリセロールを意味する。したがって、「追加のグリセロール」は、ステップ（ｂ）において石鹸液混合物を形成する前には石鹸基剤中に存在しなかった、固形石鹸製品中のあらゆるグリセロールを意味する。一部の実施形態において、固形石鹸製品は、固形石鹸製品中に存在するグリセロールの８０重量％以下が石鹸基剤に添加されるように、固形石鹸製品の２０重量％以下の量の、例えば固形石鹸製品の１７．５重量％以下の量の、例えば固形石鹸製品の１５重量％以下の量の、例えば固形石鹸製品の１４重量％以下の量の、例えば固形石鹸製品の１３重量％以下の量の、例えば固形石鹸製品の１２．５重量％以下の量の、追加のグリセロールを含む。
【０１２６】
一部の実施形態において、人体を洗浄するために適切な固形石鹸製品は、固形石鹸製品の少なくとも２５重量％の量の、例えば固形石鹸製品の少なくとも３０重量％の量の、例えば固形石鹸製品の少なくとも３５重量％の量の、例えば固形石鹸製品の少なくとも３７．５重量％の量の石鹸基剤を含む。
【０１２７】
１つの好ましい態様において、人体を洗浄するために適切な固形石鹸製品は、固形石鹸製品の２０％〜７０重量％の量の、例えば固形石鹸製品の２５％〜６５重量％の量の、例えば固形石鹸製品の３０％〜６０重量％の量の、例えば固形石鹸製品の３５％〜６０重量％の量の、例えば固形石鹸製品の３５％〜５７．５重量％の量の、例えば固形石鹸製品の３５％〜５５重量％の量の石鹸基剤を含む。
【０１２８】
一部の実施形態において、人体を洗浄するために適切な固形石鹸製品は、固形石鹸製品の少なくとも５０重量％の量の、例えば固形石鹸製品の５０〜９０重量％の量の石鹸を含む。
【０１２９】
一部の実施形態において、ヒトを洗浄するために適切な固形石鹸製品は、水を含み、固形石鹸製品中に存在する水の総量は、固形石鹸製品の０．０１〜４９重量％、例えば固形石鹸製品の０．１〜４９重量％、例えば固形石鹸製品の１〜４９重量％、例えば固形石鹸製品の５〜４９重量％、例えば固形石鹸製品の５〜４５重量％、例えば固形石鹸製品の１０〜４５重量％、例えば固形石鹸製品の１０〜４０重量％、例えば固形石鹸製品の１５〜４０重量％、例えば固形石鹸製品の１５〜３５重量％、例えば固形石鹸製品の１７．５〜３５重量％である。本明細書において使用される場合、用語「水の総量」は、石鹸基剤中に存在する水及び固形石鹸製品中の追加の水の量の合わせた総量を意味する。固形石鹸製品が、固形石鹸製品の１〜４９重量％の水の総量を含む場合、固形石鹸組成物の均質な微粒子が産出され得ることが見出された。
【０１３０】
本明細書において使用される場合、用語「追加の水」は、人体を洗浄するために適切な固形石鹸製品を生成するための方法中に、石鹸基剤に添加される水を意味する。したがって、「追加の水」は、石鹸液混合物を形成する前には石鹸基剤中に存在しなかった、固形石鹸製品中のあらゆる水を意味する。例えば、「追加の水」は、固形石鹸基剤を、ステップ（ｂ）において、固形石鹸基剤よりも高温である水性相への固形石鹸基剤の添加を介して加熱して、石鹸液混合物を形成する実施形態において、水性相中に存在するあらゆる水を意味してよい。一部の実施形態において、人体を洗浄するために適切な固形石鹸製品は、追加の水を含まない。一部の実施形態において、人体を洗浄するために適切な固形石鹸製品は、固形石鹸製品の０．５〜４８．５重量％の量の、例えば固形石鹸製品の１〜４５重量％の量の、例えば固形石鹸製品の１０〜４０重量％の量の、例えば固形石鹸製品の１５〜３５重量％の量の、例えば固形石鹸製品の１５〜３２．５重量％の量の追加の水を含む。
【０１３１】
固形石鹸製品中に存在する水は、任意の適切な供給源から提供されてよい。一態様において、水は、固形石鹸基剤の水分含有量並びに蒸留水、脱イオン水、水道水、植物浸出液、植物煎じ汁（茶及びコーヒーを含む）、フルーツジュース、野菜ジュース、酢、ビール、ワイン、蒸留酒及びそれらの混合物から選択される供給源の組合せから提供される。一態様において、水は、固形石鹸基剤の水分含有量並びに蒸留水、脱イオン水及び水道水から選択される供給源の組合せから提供される。
【０１３２】
人体を洗浄するために適切な固形石鹸製品は、所望の組成物を提供するため等の１又は２以上の追加成分を含有してよい。一態様において、固形石鹸製品は、蜂蜜、糖、糖アルコール界面活性剤、油、バター、ワックス、果物、野菜、粘土、ハーブ、穀物、豆、タンパク質、結合剤、充填剤、不透明化剤、香水、着色材、香料、スクラブ、角質除去剤及びそれらの混合物から選択される少なくとも１つの追加成分をさらに含む。
【０１３３】
一態様において、固形石鹸製品は、蜂蜜をさらに含む。１つの好ましい態様において、固形石鹸製品は、蜂蜜を含み、石鹸基剤に添加された追加のグリセロールを本質的に含まない。一態様において、固形石鹸製品は、固形石鹸製品の０．１〜３０重量％の量の、例えば固形石鹸製品の１〜２５重量％の量の、例えば固形石鹸製品の５〜２５重量％の量の、例えば固形石鹸製品の１０〜２５重量％の量の、例えば固形石鹸製品の１５〜２５重量％の量の蜂蜜を含む。一態様において、固形石鹸製品は、石鹸基剤に添加されたグリセロールを本質的に含まず、固形石鹸製品の１５〜２５重量％の量の蜂蜜を含む。
【０１３４】
一態様において、固形石鹸製品は、糖をさらに含む。一態様において、糖は、スクロース、フルクトース及びそれらの混合物から選択される。一態様において、糖は、スクロースである。一態様において、糖は、フルクトースである。一態様において、糖は、上白糖、グラニュー糖、ブラウンシュガー、スクロース粉末、フルクトース粉末及びそれらの混合物から選択される。一態様において、固形石鹸製品は、固形石鹸製品の０．１〜３０重量％、例えば固形石鹸製品の１〜２５重量％、例えば固形石鹸製品の５〜２５重量％の量の、糖（好ましくは、上白糖、グラニュー糖、ブラウンシュガー、スクロース粉末、フルクトース粉末又はそれらの混合物）をさらに含む。一部の実施形態において、固形石鹸製品は、固形石鹸製品の０．１〜１０重量％、例えば固形石鹸製品の０．５〜１０重量％、例えば固形石鹸製品の１〜１０重量％、例えば固形石鹸製品の５〜１０重量％、例えば固形石鹸製品の６〜１０重量％、例えば固形石鹸製品の７〜１０重量％、例えば固形石鹸製品の８〜１０重量％の量の、上白糖、グラニュー糖、ブラウンシュガー、スクロース粉末、フルクトース粉末又はそれらの混合物をさらに含む。
【０１３５】
一態様において、固形石鹸製品は、糖アルコールをさらに含む。一態様において、糖アルコールは、ソルビトール、マルチトール、マンニトール及びそれらの混合物から選択される。存在する場合、糖アルコールは、固形石鹸製品の０．１〜１０重量％の量で存在してよい。
【０１３６】
一態様において、固形石鹸製品は、追加の界面活性剤をさらに含む。追加の界面活性剤は、ラウリル硫酸ナトリウム、ラウレス硫酸ナトリウム、ラウリル硫酸アンモニウム、ラウレス硫酸アンモニウム、ココアンホ酢酸ナトリウム、スルホコハク酸ラウレス二ナトリウム、ラウリルベタイン及びそれらの混合物から選択されてよい。存在する場合、追加の界面活性剤は、固形石鹸製品の０．１〜３５重量％の量で存在してよい。
【０１３７】
一態様において、固形石鹸製品は、油、バター、ワックス又はそれらの混合物をさらに含む。油、バター、ワックス又はそれらの混合物（存在する場合）は、「過脂肪化」として公知のプロセスに組み込まれてよい。油、バター及びワックスは、アーモンド油、オリーブ油、ゴマ油、月見草油、ホホバ油、ココアバター、シアバター、マンゴーバター、クプアスバター、ラノリン、ビーズワックス、ローズワックス及びオレンジピールワックスから選択されてよい。存在する場合、油、バター及びワックスは、固形石鹸製品の０．１〜１０重量％、例えば固形石鹸製品の０．１〜５重量％、例えば固形石鹸製品の１〜５重量％の合わせた量で存在してよい。
【０１３８】
一態様において、固形石鹸製品は、果物及び野菜をさらに含む。果物及び野菜は、オリーブ、アボカド、バナナ、イチゴ及びブルーベリーから選択されてよく、存在する場合、果物及び野菜は、固形石鹸製品の０．１％〜１０重量％、例えば固形石鹸製品の０．１〜５重量％、例えば固形石鹸製品の１〜５重量％の合わせた量で存在してよい。
【０１３９】
一態様において、固形石鹸製品は、香料をさらに含む。存在する場合、香料は、固形石鹸製品の０．１％〜１０重量％の量で存在してよい。本組成物を使用するという経験をより快適にするために、香料を製品に添加してよい。本発明のための香料に、ラベンダー、カモミール又はローズアブソリュート等の精油を合わせることは、ユーザーが快適な洗浄経験をすることを確実にする。香料の量は、好ましくは、固形石鹸製品の０．１％〜５重量％、例えば固形石鹸製品の０．５％〜５重量％、例えば固形石鹸製品の１％〜５重量％、例えば固形石鹸製品の１％〜４重量％、例えば固形石鹸製品の２％〜４重量％である。
【０１４０】
精油は、所望される香料、処置される皮膚タイプ、及び精油の周知の特性に基づいて所望される他の効果に基づき、選択してよい。精油の添加は、鼻に吸い込んだときに、気分を変えることが公知である。例えば、精油は、眠気、又は感覚を刺激するという効果を生じることが公知である。文書で十分に立証されている多くの効果を、精油の使用によって実現することができる。
【０１４１】
一実施形態において、製品中に存在する１又は２以上の精油は、タラゴン、レモンマートル、ジャスミン、イランイラン、ラブダナム、レモングラス、ローズオットー、グレープフルーツ、パチュリー、ローズマリー、アルモワーズ、レモン、ネロリ、ニオイスミレ、ラベンダー、オレンジ５０倍（Orange 50 fold）、バニラ、ペパーミント、ベンゾイン、アジサイ、リツェアクベバ、カルダモン、トンカ及びカモミールブルーから選択される。一実施形態において、製品中に存在する１又は２以上の精油は、タラゴン、レモンマートル、ラブダナム及びレモングラスから選択される。
【０１４２】
ビタミン、特にＢ、Ｃ及びＥは、皮膚に非常に有益である。小麦胚芽油等のビタミンが豊富な原料を使用して、ビタミンを皮膚に送達することもできる。一実施形態において、ビタミンは、ビタミンＢ、ビタミンＣ、ビタミンＥ及びそれらの混合物から選択される。当業者であれば、ビタミンが任意の適切な供給源から提供され得ることが分かるであろう。例えば、ビタミンは、合成供給源から、又は、高いビタミン含有量を有する天然材料等の材料の製品への組み込みにより、提供され得る。
【０１４３】
一態様において、固形石鹸製品は、着色剤材料をさらに含む。存在する場合、着色剤材料は、固形石鹸製品の０．００１〜３重量％の量で存在してよい。
【０１４４】
一態様において、固形石鹸製品は、粘土をさらに含む。粘土は、すべての適切な粘土から選択されてよい。好ましくは、粘土は、カオリン、タルク、カラミン、ラソールマッド、フラー土、ベントナイト粘土及びそれらの混合物から選択される。存在する場合、粘土は、固形石鹸製品の０．１〜１０重量％の量で、例えば固形石鹸製品の１〜１０重量％の量で存在してよい。
【０１４５】
一態様において、固形石鹸製品は、ハーブ、穀物、豆又はそれらの混合物をさらに含む。好ましくは、ハーブ、穀物、豆又はそれらの混合物は、オート麦、米、桂皮、バニラ、小豆、海藻及びそれらの混合物から選択される。存在する場合、ハーブ、穀物、豆又は混合物は、固形石鹸製品の０．０１〜１０重量％の合わせた量で、例えば固形石鹸製品の０．１〜１０重量％の合わせた量で存在してよい。
【０１４６】
一態様において、固形石鹸製品は、タンパク質をさらに含む。タンパク質は、すべての適切なタンパク質から選択されてよい。好ましくは、タンパク質は、豆腐、バナナ、大豆、大豆レシチン、卵及びそれらの混合物から選択される。存在する場合、タンパク質は、固形石鹸製品の０．１％〜１０重量％の量で存在してよい。
【０１４７】
さらなる態様
さらなる態様において、本発明は、次のものを提供する。
【０１４８】
固形石鹸製品を調製するための固形石鹸基剤であって、固形石鹸基剤の少なくとも７０重量％の量の石鹸を含み、
（ｉ）７〜９．５のｐＨを有し、
（ii）固形石鹸基剤の０．０１〜１５重量％の量の水を含有する、
固形石鹸基剤。
【０１４９】
固形石鹸基剤の生成のための方法であって、
（ａ）水酸化物溶液及びトリグリセリドを接触させて、鹸化混合物を形成するステップと、
（ｂ）鹸化混合物を、混合物が３００〜５００ｃＰの粘度を有するまで（例えば、Viscolite 700ポータブル粘度計によって測定される通り）、５０〜７０℃の温度で撹拌するステップと、
（ｃ）ステップ（ｂ）の混合物を、１３０〜１７０℃の温度で硬化して、固形石鹸組成物を形成するステップと
を含む、方法。
【０１５０】
人体を洗浄するために適切な固形石鹸製品の生成のための方法であって、
（ａ）石鹸及びグリセロールを含む固形石鹸基剤を用意するステップと、
（ｂ）固形石鹸基剤を加熱して、液体形態の石鹸基剤を提供し、任意で石鹸基剤をグリセロールと接触させて、石鹸液混合物を形成するステップと、
（ｃ）石鹸液混合物を鋳型に注ぎ入れ、固めて固形石鹸組成物を形成させるステップと
を含み、
固形石鹸製品が、固形石鹸製品の０．０１〜３５重量％の量のグリセロールを含有し、
固形石鹸製品中に存在するグリセロールの８０重量％以下が、石鹸基剤に添加される、
方法。
【０１５１】
石鹸基剤から取得される又は取得可能な固形石鹸製品であって、
（ｉ）固形石鹸製品の少なくとも５０重量％の量の石鹸と、
（ii）固形石鹸製品の１〜４９．９重量％の量の水と、
（iii）固形石鹸製品の０．０１〜３５重量％の量のグリセロールと
を含み、固形石鹸製品中に存在するグリセロールの８０重量％以下が、石鹸基剤に添加される、
固形石鹸製品。
【０１５２】
（ｉ）固形石鹸製品の少なくとも５０重量％の量の石鹸と、
（ii）固形石鹸製品の１〜４９．９重量％の量の水と、
（iii）固形石鹸製品の０．０１〜３５重量％の量のグリセロールと
を含む、固形石鹸製品。
［実施例］
【０１５３】
これより、本発明について、下記の非限定的な実施例を参照しながら記述する。実施例において、人体を洗浄するために適切な固形石鹸製品を調製した。
【実施例１】
【０１５４】
幾つかの固形石鹸組成物を、下記の植物性バター及び植物性油から調製した。
【０１５５】
【表１】
2019523317.tif 000002
【０１５６】
固形石鹸組成物は、下記の方法を使用して調製した。
１．植物性油を、成分部分が液相及び均質になるまで、ジャケット付きリボンブレンダー内で６０℃に加熱した。
２．水酸化ナトリウムをクエン酸ナトリウム溶液に添加した。次いで、水酸化ナトリウム及びクエン酸ナトリウムの得られた溶液を溶融植物性油に添加して、鹸化を開始した。
３．すべての成分部分を、組成物の粘度がViscolite 700ポータブル粘度計によって測定される通り３００〜５００ｃＰになるまで、６０℃で一緒に混合した。
４．次いで、温度を１５０℃に増大させ、組成物を４５〜５５ｒｐｍの速度で混合して、石鹸組成物が７〜９．５のｐＨ及び石鹸組成物の０．０１〜１５重量％の水含有量を有するまで、石鹸組成物を硬化した。
【０１５７】
実施例１ａ
上記の方法を使用して、固形石鹸組成物を、ココアバターから、植物性バターへの水酸化ナトリウム及びクエン酸ナトリウムの、以下の表に示す量での添加によって調製した。
【０１５８】
【表２】
2019523317.tif 000003
【０１５９】
実施例１ａ〜１ｋの石鹸組成物を、水含有量、ｐＨ及びグリセロール含有量について分析した。下記の結果が取得された。
【０１６０】
水含有量
【０１６１】
【表３】
2019523317.tif 000004
【０１６２】
ｐＨ
【０１６３】
【表４】
2019523317.tif 000005
【０１６４】
グリセロール含有量
【０１６５】
【表５】
2019523317.tif 000006
【０１６６】
実施例１ｌ
実施例１のための上記で開示した方法を使用して、固形石鹸組成物を、ヒマワリ油及びオリーブ油の混合物から、植物性油への水酸化ナトリウム及びクエン酸ナトリウムの、以下の表に示す量での添加によって調製した。
【０１６７】
【表６】
2019523317.tif 000007
【０１６８】
実施例１ｍ
固形石鹸組成物を、ココアバターから、水酸化ナトリウム溶液の、以下の表に示す量での添加によって調製した。
【０１６９】
【表７】
2019523317.tif 000008
【０１７０】
固体組成物は、下記の方法を使用して調製した。
１．植物性油を、成分部分が液相及び均質になるまで、ジャケット付きリボンブレンダー内で６０℃に加熱した。
２．水酸化ナトリウム溶液を溶融植物性油に添加して、鹸化を開始した。
３．すべての成分部分を、組成物の粘度がViscolite 700ポータブル粘度計によって測定される通り３００〜５００ｃＰになるまで、６０℃で一緒に混合した。
４．次いで、温度を１５０℃に増大させ、組成物を４５〜５５ｒｐｍの速度で混合して、石鹸組成物が７〜９．５のｐＨ及び石鹸組成物の０．０１〜１５重量％の水含有量を有するまで、石鹸組成物を硬化した。
【０１７１】
実施例１ｎ
実施例１ｍのための上記で開示した方法を使用して、固形石鹸組成物を、アーモンド油、オリーブ油及びヒマシ油の混合物から、植物性油への水酸化ナトリウムの、以下の表に示す量での添加によって調製した。
【０１７２】
【表８】
2019523317.tif 000009
【実施例２】
【０１７３】
人体を洗浄するために適切な下記の固形石鹸製品を調製した。石鹸製品は、下記の組成を有していた。
【０１７４】
【表９】
2019523317.tif 000010
【０１７５】
方法
１．相Ａをおよそ８５℃に加温した。
２．温度を維持しながら、相Ｂの植物性油石鹸基剤を、相Ａに徐々に添加した。
３．相Ａ及びＢを、すべての石鹸基剤が溶けるまで一緒に混ぜた。
４．混合物をおよそ３５℃に冷却した。
５．次いで、相Ｃ及びＤを添加した。
６．次いで、得られた石鹸液混合物を鋳型に注ぎ入れ、冷却して固めた。
【実施例３】
【０１７６】
人体を洗浄するために適切な下記の固形石鹸製品を調製した。石鹸製品は、下記の組成を有していた。
【０１７７】
【表１０】
2019523317.tif 000011
【０１７８】
方法
１．相Ａをおよそ８５℃に加温した。
２．温度を維持しながら、相Ｂの植物性油石鹸基剤及び植物性バター石鹸基剤を、相Ａに徐々に添加した。
３．相Ａ及びＢを、すべての石鹸基剤が溶けるまで一緒に混ぜた。
４．混合物をおよそ３５℃に冷却した。
５．次いで、相Ｃ及びＤを添加した。
６．次いで、得られた石鹸液混合物を鋳型に注ぎ入れ、冷却して固めた。
【０１７９】
本発明の種々の修正形態及び変形形態が、本発明の範囲及び趣旨から逸脱することなく、当業者に明らかとなるであろう。具体的な好ましい実施形態との関連で本発明について記述してきたが、特許請求される通りの本発明は、そのような具体的な実施形態に過度に限定されるべきではないことを理解すべきである。実際に、化学、生物学又は関連分野の当業者に明白な、本発明を行うための記述されているモードの種々の修正形態は、下記の特許請求の範囲の範囲内であるよう意図されている。
【国際調査報告】
2019523317.tif 000012
2019523317.tif 000013
2019523317.tif 000014